(57)【要約】      （修正有）【課題】温泉の源泉の熱水を利用して地熱発電を行うとともに、温度が低下した熱水を温泉の入浴用に利用して、地熱発電と温泉の共存を可能にする。【解決手段】地熱発電用井戸を掘らず、源泉の高温の熱水の熱エネルギーを利用して発電等のエネルギー発生に使用し、発電等に使用した後の熱水の温度を人が入れる温度に下げ、温泉に供給する。発電の方法として、熱水を蒸気発生器１９へ導き、釜２１の中の水２２が蒸気２３となりタービン２５を回転させて発電機２７により電力２８を発生する。また、熱水により熱電素子を加熱して発電する方法も示している。【選択図】図３
2018044439.tif 000002
【特許請求の範囲】
【請求項１】
温泉の源泉からの温度の高いお湯の熱エネルギを、発電等エネルギ発生に使用すると共に、これにより高い源泉温度を入浴に適した温度に下げることを特徴とする地熱発電等温泉システム。
【発明の詳細な説明】
【技術分野】
【０００１】
本発明は地熱を利用した温泉地熱発電に関する。
【背景技術】
【０００２】
地熱エネルギがある処を削井して熱エネルギをとり、発電する地熱発電
は我が国では進んでいない。
【発明の概要】
【発明が解決しようとする課題】
【０００３】
日本は世界有数の地熱エネルギがある国である。日本には火山が１１０箇所あり、世界の１割を占め、しかも地熱源が都会に近いという世界でも稀な地熱発電最適国なのだが、温泉業界が源が減ることを心配して、地熱発電に反対してきた。従って、日本に地熱源があるのに、地熱発電が少ないという潜在エネルギを無駄にしてきた。
本発明はこのような課題に鑑みてなされたものであり、温泉業界の反対を受けず喜んで地熱発電に協力する発明なので、我が国の潜在エネルギを活用できる画期的な発明である。
【課題を解決するための手段】
【０００４】
前記した課題を解決する本発明は、地熱発電用の井戸を掘らず、温泉の源泉からのお湯の熱で発電し、これにより源泉の温度を下げ温泉に適する温度に下げるという一石四鳥の発明である。
【発明の効果】
【０００５】
本発明により、地熱用の井戸を新たに掘削する必用がないのでローコストで発電でき、源泉の冷却をタダ又は利益を得てできる上、源泉も減らないので地熱発電に反対している温泉業者が反対しないどころか喜んで協力し、従って我が国の地熱エネルギをフルに有効利用して源泉エネルギを得ることができ一石四鳥の大きな効果がある。
図１は現在の温泉と地熱発電の関連を示す図である。図において、４は源泉である。１はマグマ、２は地球の中の地下水、３は地球の亀裂、６は源泉冷却装置、５は配管、７は温泉、８は地熱発電用井戸、９は蒸気タービン、１０は発電機、１１は発生された電力である。
【０００６】
従って、温泉と地熱発電は同じ泉源を使用するので、地熱発電で源泉が減らされ、温泉運営に支障を来すとして温泉業者が地熱発電を歓迎しないため、日本には世界有数の地熱エネルギがあるのに利用されてこなかった。
【０００７】
図２は現在の温泉システムである。源泉４の温度は８０〜１００℃なので、このままでは熱くて人が入れない。そこで、冷却装置６として湯の中に冷体を浸けて温度を下げたり、枝の沢山ある笹竹１３の上まで熱湯をパイプ１２で導き笹竹１３に降り注ぐと、枝を垂れ落ちる１４間に温度が下がり、溜温１５の温度は４２℃程度の人が入れる温度になるので、これをパイプ１６を通じて温泉部７に導く方法をとっている。
【図面の簡単な説明】
【０００８】
【図１】従来の地熱発電と従来の温泉の関係図
【図２】従来の源泉システム
【図３】本発明の第１と第２の実施例を示す図
【図４】本発明第３実施例を示す図
【発明を実施するための形態】
【０００９】
図３は本発明の第１実施例を示す図である。図において、４は源泉であり、８０〜１００℃の温度である。１８は源泉からの熱水を蒸気発生器１９へ導く配管である。蒸気発生器１９のヒーター管２０により釜２１の中の水２２が蒸気２３となり高圧となって、パイプ２４によりタービン２５に送られ、タービン２５を回転させる。
タービン２５のシャフト２６により結合された発電機２７を回転させ、電力２８を発生する。２９は復水器で、水は窯２１に戻る。
【００１０】
源泉４の温度はヒータ２０で温度が下がり、パイプ１６で温泉７に供給される。
本発明第２の実施例として源泉温度が８２℃等と低い場合は水２２の代わりにフレオン等沸点の低いものを用いる。気化したフレオンガス２３は配管２４を介してタービン２５に送られ回転する。このタービン２５の回転力は回転軸２６を介して発電機２７に与えられ、発電機のロータ（図示せず）を回転させ、発電機のロータが回転すると、発電機２７で交流電圧を発生させる。該発電機２７は交流電源２８として所定の負荷に送り、負荷を駆動することになるのは、第１実施例で述べたと同様である。
【００１１】
このような一連の動作の中で、タービン２５からの蒸気は復水器２９に入り、配管３０を介してガス発生部２１に液体状２２で戻され循環して使用される。配管１８から出射された熱水はガス発生部２１を加熱するので温度が下がり４２℃程度となり、人が浸かれる温度まで下がるので、温泉７として利用することができる。
【００１２】
図４は本発明第３の実施例である。源泉４からの熱湯をヒーター管３２（形状は加熱効率を最大にするように曲管としてもよい）に導き、熱電素子３３を加熱する。熱電素子３３は熱を加えると、発電することは公知である。これを所定の電圧、電流を得るように直列又は並列に結合３４して電力２８を得る。第１と第２実施例は、タービンを使用する動的且つ大型，中型発電であり、第３実施例は熱電素子を使用するソリッドステートの静的且つ無音の小型発電であり、それぞれに適している温泉に使用する実施例である。
【００１３】
第４の実施例では、前記の電気エネルギ以外のエネルギ、例えば熱エネルギとして地上式暖房や各種エネルギ用熱源と上記の温泉として使用する本発明である。従来の温泉では、源泉を冷やすのに、熱を外に捨てていた。本発明では、熱エネルギを発電機用やその他のエネルギに用いるので、地熱活用により、温泉地の収益となるので、温泉業者が地熱発電に反対しないので国家の地熱エネルギを有効に活用できる。
【産業上の利用可能性】
【００１４】
本発明は温泉業者の反対が起こらず、また地熱発電のため新たな井戸を掘らなくても温泉の源泉を用いて発電することができるので、ローコストの発電ができるのみならず全国に点在する温泉を利用して発電などエネルギ供給することができ、その温泉近辺の温泉宿や民家の電力エネルギをまかなうことができるので、我が国の熱源泉を産業に活用できる産業上の利用可能性大である。
【符号の説明】
【００１５】
１    マグマ
２    地下水
３    亀裂
４    源泉
５    給湯パイプ
６    冷却装置（例えば冷却笹竹）
７    温泉
８    地熱発電用井戸
９    発電タービン
１０  発電機
１１  発生された電力
１２  冷却笹竹への配管
１３  冷却笹竹
１４  笹竹先端から落ちる冷やされた湯
１５  冷やされた湯の受け部
１６  温泉への供給パイプ
１８  源泉から加熱管への導管
１９  蒸気発生加熱器
２０  加熱器
２１  釜
２２  水又はフレオン，フレオンＢ等低沸点流体
２３  蒸気
２４  蒸気をタービンに送るパイプ
２５  蒸気タービン
２６  回転シャフト
２７  発電機
２８  本発明で取り出された電力
２９  復水器
３０  釜へ戻すパイプ
３２  源泉からの熱湯を通すパイプ
３３  公知の熱電素子
３４  熱電素子結線
【図１】
2018044439.tif 000003
【図２】
2018044439.tif 000004
【図３】
2018044439.tif 000005
【図４】
2018044439.tif 000006
【手続補正書】
【提出日】平成29年8月21日(2017.8.21)
【手続補正１】
【補正対象書類名】特許請求の範囲
【補正対象項目名】請求項１
【補正方法】変更
【補正の内容】
【請求項１】
我国地熱エネルギ活用の地熱発電を促進するため、地熱発電発電反対を抑止する目的のため、第一に地熱発電用の井戸を掘らないこと、第二に既存の温泉の源泉からのお湯で発電すること、第三に発電により源泉の温度を下げ、第四に入浴に適する温度に下げた温泉を温泉業者に提供し、第五に温泉業者の源泉低温化のコストを不用にしてメリットを与えるという五つの組み合わせの方法により温泉業界の地熱発電反対を抑止し、地熱発電を促進し、我国地熱エネルギ活用を増大し得ることを特徴とする我国地熱発電促進方法。